(57)【要約】【課題】左右に回動自在な左分草具から穀稈ガイドへの穀稈の引継ぎを円滑化する。【解決手段】左分草具（１４Ｌ）には、左分草体（１４Ｌ）によって分草された穀稈を穀稈ガイド（１９）の始端部に引継ぐ分草ガイド杆（２６）を設ける。  また、分草ガイド杆（２６）の終端部と穀稈ガイド（１９）の始端部を、縦方向の連結ピン（２０）で連結する。  また、分草ガイド杆（２６）は、左分草体（１４Ｌ）によって分草された穀稈を穀稈ガイド（１９）の始端部より外側方に向けて案内する構成とする。  また、分草ガイド杆（２６）の終端部を穀稈ガイド（１９）の始端部よりも上方に配置する。  また、左分草具（１４Ｌ）の内側端部から左分草具（１４Ｌ）の後側に配置された引起し装置（１５）側に立毛穀稈を案内する導入ガイド杆（２８）を設ける。【選択図】      図３
2013150576.tif 000002
【特許請求の範囲】
【請求項１】
刈取装置（４）の左端に位置する左分草具（１４Ｌ）を縦軸（２３）回りに左右回動可能に設け、該左分草具（１４Ｌ）の後方には機体外側方に張り出す分草作用姿勢と機体側に収納する収納姿勢とに切替可能な穀稈ガイド（１９）を設けたコンバインにおいて、
前記左分草具（１４Ｌ）には、該左分草体（１４Ｌ）によって分草された穀稈を前記穀稈ガイド（１９）の始端部に引継ぐ分草ガイド杆（２６）を設けたことを特徴とするコンバイン。
【請求項２】
前記分草ガイド杆（２６）の終端部と前記穀稈ガイド（１９）の始端部を、縦方向の連結ピン（２０）で連結した請求項１記載のコンバイン。
【請求項３】
前記分草ガイド杆（２６）は、前記左分草具（１４Ｌ）によって分草された穀稈を前記穀稈ガイド（１９）の始端部より外側方に向けて案内する構成とした請求項１記載のコンバイン。
【請求項４】
前記分草ガイド杆（２６）の終端部を前記穀稈ガイド（１９）の始端部よりも上方に配置した請求項３記載のコンバイン。
【請求項５】
前記左分草具（１４Ｌ）の内側端部から該左分草具（１４Ｌ）の後側に配置された引起し装置（１５）側に立毛穀稈を案内する導入ガイド杆（２８）を設けた請求項１から請求項４のいずれか一項に記載のコンバイン。
【発明の詳細な説明】
【技術分野】
【０００１】
この発明は、コンバインに関する。
【背景技術】
【０００２】
特許文献１に示すように、未刈地側と既刈地側の左右両外側に位置する分草具を縦軸芯回りに左外側方又は右内側方へ回動操作できるようにし、刈取幅を広くしたり狭めたりして穀稈の刈取導入量を調整する技術が知られている。
【先行技術文献】
【特許文献】
【０００３】
【特許文献１】特開２００４−１６６６３４号公報
【発明の概要】
【発明が解決しようとする課題】
【０００４】
しかしながら、上記特許文献１記載の技術は、分草具を左右に回動させる場合、分草具の先端をこの分草具の回動支点に対して外側に偏倚させることで刈取装置に導入する穀稈の量を増加させることができるが、未刈地側に位置する穀稈ガイドはその始端部を左分草具の左右回動支点より後方に設定する必要があるため、左分草具から穀稈ガイドへの穀稈の引継ぎ案内が悪化する問題があった。
【０００５】
本発明は、分草具から穀稈ガイドへの穀稈の引継ぎを円滑化することを課題とする。
【課題を解決するための手段】
【０００６】
本発明は、上記課題を解決すべく次のような技術的手段を講じた。
すなわち、請求項１記載の発明は、刈取装置（４）の左端に位置する左分草具（１４Ｌ）を縦軸（２３）回りに左右回動可能に設け、該左分草具（１４Ｌ）の後方には機体外側方に張り出す分草作用姿勢と機体側に収納する収納姿勢とに切替可能な穀稈ガイド（１９）を設けたコンバインにおいて、前記左分草具（１４Ｌ）には、該左分草体（１４Ｌ）によって分草された穀稈を前記穀稈ガイド（１９）の始端部に引継ぐ分草ガイド杆（２６）を設けたことを特徴とするコンバインである。
【０００７】
左分草具（１４Ｌ）を縦軸（２３）回りに左外側方又は右内側方へ回動させ、刈取幅を変更することで穀稈の刈取導入量を調整する。
左分草具（１４Ｌ）によって分草された穀稈は、分草ガイド杆（２６）によって穀稈ガイド（１９）の始端部に引継がれる。
【０００８】
請求項２記載の発明は、前記分草ガイド杆（２６）の終端部と前記穀稈ガイド（１９）の始端部を、縦方向の連結ピン（２０）で連結した請求項１記載のコンバインである。
分草ガイド杆（２６）の終端部と穀稈ガイド（１９）の始端部が連結保持されているので、分草ガイド杆（２６）から穀稈ガイド（１９）へ穀稈を円滑に引継ぎ案内する。
【０００９】
請求項３記載の発明は、前記分草ガイド杆（２６）は、前記左分草具（１４Ｌ）によって分草された穀稈を前記穀稈ガイド（１９）の始端部より外側方に向けて案内する構成とした請求項１記載のコンバインである。
【００１０】
左分草具（１４Ｌ）によって分草された穀稈は、分草ガイド杆（２６）によって更に外側へ押出し案内されて穀稈ガイド（１９）の始端部外側まで導かれる。
請求項４記載の発明は、前記分草ガイド杆（２６）の終端部を前記穀稈ガイド（１９）の始端部よりも上方に配置した請求項３記載のコンバインである。
【００１１】
分草時の穀稈が機体側に倒れた状態にあっても分草ガイド杆（２６）によって穀稈ガイド（１９）の始端部より外側まで確実に押出し案内することができる。
請求項５記載の発明は、前記左分草具（１４Ｌ）の内側端部から該左分草具（１４Ｌ）の後側に配置された引起し装置（１５）側に立毛穀稈を案内する導入ガイド杆（２８）を設けた請求項１から請求項４のいずれか一項に記載のコンバインである。
【００１２】
左分草具（１４Ｌ）より内側方に分草される穀稈は、導入ガイド杆（２８）の作用を受けて更に引起し装置（１５）側に向けて押し分け案内されながら引起し作用圏内にまで確実に導かれる。
【発明の効果】
【００１３】
請求項１記載の発明によれば、左分草具（１４Ｌ）によって分草された穀稈は、分草ガイド杆（２６）によって穀稈ガイド（１９）の始端部に引継がれるので、左分草具（１４Ｌ）を左右に回動させても、穀稈を左分草具（１４Ｌ）から穀稈ガイド（１９）へ円滑に引継ぐことができる。
【００１４】
請求項２記載の発明によれば、請求項１記載の発明による効果に加えて、分草ガイド杆（２６）の終端部と穀稈ガイド（１９）の始端部が連結されているので、分草ガイド杆（２６）から穀稈ガイド（１９）へ穀稈をより円滑に引継ぐことができる。
【００１５】
請求項３記載の発明によれば、請求項１記載の発明による効果に加えて、左分草具（１４Ｌ）によって分草された穀稈は、分草ガイド杆（２６）によって更に外側へ押出し案内されながら穀稈ガイド（１９）の始端部の外側まで導かれるので、左分草具（１４Ｌ）を左右に回動させても、穀稈を左分草具（１４Ｌ）から穀稈ガイド（１９）へ円滑に引継ぐことができる。
【００１６】
請求項４記載の発明によれば、請求項３記載の発明による効果に加えて、分草ガイド杆（２６）のガイド終端部が穀稈ガイド（１９）の始端部よりも上方に位置しているので、分草時の穀稈が機体側に大きく倒れた状態にあっても分草ガイド杆（２６）によって穀稈ガイド（１９）の始端部より外側方まで確実に押出し案内することができる。
【００１７】
請求項５記載の発明によれば、請求項１から請求項４のいずれか一項に記載の発明による効果に加えて、左分草具（１４Ｌ）を左右に回動させても、左分草具（１４Ｌ）より内側方に分草される穀稈が、導入ガイド杆（２８）の作用によって引起し作用圏内に確実に導かれるので、引起し装置（１５）によって穀稈を確実に引起すことができる。
【図面の簡単な説明】
【００１８】
【図１】コンバインの平面図
【図２】同上要部の側面図
【図３】同上要部の平面図
【図４】コンバイン要部の側面図
【図５】同上要部の平面図
【図６】コンバイン要部の側面図
【図７】同上要部の平面図
【図８】刈取部の要部の側面図
【図９】刈取部の要部の平面図
【発明を実施するための形態】
【００１９】
この発明の実施例を図面に基づき説明する。
図１は、コンバインの平面図を示すものであり、左右一対の走行クローラを備えた車体１上には、後部に脱穀部（脱穀装置）３を、その前方部に刈取部（刈取装置）４を設置している。刈取部４の横側部には運転席５、運転席前側のフロント操作ボックス６、運転席左横側のサイド操作ボックス７等からなる運転操作部を備え、更に、その運転操作部の後方には脱穀粒を一時的に貯留するグレンタンクＧを装備している。
【００２０】
フロント操作ボックス６の右側には、左右方向の操作で機体の進行方向を操向制御し、前後方向の操作で刈取部４を昇降制御するパワステレバー８が設置されている。運転席５左側のサイド操作ボックス７上には、刈取部４及び脱穀部３への回転動力を断続操作する刈脱クラッチレバー９、走行速を変速制御する変速レバー（ＨＳＴレバー）１０、副変速レバー１１等が配置されている。
【００２１】
刈取部４は、立毛する穀稈を左右に分草する左右の分草具１４Ｌ，１４Ｒ（左分草具１４Ｌ，右分草具１４Ｒ）及び中央の中分草具１４Ｃと、分草後の穀稈を引き起す左右一対の穀稈引起し装置１５Ｌ，１５Ｒと、引起し後の穀稈を刈り取るバリカン式刈刃装置１６と、刈取後の穀稈を掻込搬送するスターホイル等の掻込搬送装置１７、掻込搬送後の穀稈を脱穀部に揚上搬送して供給する揚上搬送装置１８等からなり、車体に対して上下に昇降可能に装備している。
【００２２】
刈取部４の未刈地側横側部には、外側方に張り出す分草作用姿勢と機体側に収納する収納姿勢とに切替可能なナローガイド（穀稈ガイド）１９が設けられている。このナローガイド１９は、前端部が未刈地側（左側）の分草具１４Ｌの後方部位で刈刃装置側から前方に突設した分草支持フレーム１２に連結ピン２０を介して回動自在に枢支され、後端側が第１リンク２１ａと第２リンク２１ｂからなる横幅方向に屈伸（伸縮）可能な屈伸リンク２１を介して張出し・収納自在に連係され、操作ケーブル２２によって運転操作部近くから遠隔操作できるように連動構成されている
左右の分草具１４Ｌ，１４Ｒは、先端側が左内側方又は右外側方に向けて回動するよう分草支持フレーム１２の途中部に設けた上下方向の縦軸２３回りに回動自在に枢着している。
【００２３】
図１に示すように、通常の２条刈作業を行う場合は、左右の分草具１４Ｌ，１４Ｒは閉位置状態にあって、左右の分草具１４Ｌ，１４Ｒと中分草具１４Ｃとの間に１条づつの穀稈が導入され、左右合わせて２条分の穀稈が刈刃側に分草案内されるようになっている。
【００２４】
左右の分草具１４Ｌ，１４Ｒのうち、左分草具１４Ｌを外側方に開いた時は、中分草具１４Ｃと左分草具１４Ｌとの間に２条の穀稈が導入され、中分草具１４Ｃと右分草具１４Ｒとの間に導入される１条の穀稈と合わせて３条の穀稈が導入され、３条刈作業が可能となる。
【００２５】
また、左右の分草具１４Ｌ，１４Ｒのうち、右分草具１４Ｒを外側方に開いた時は、中分草具１４Ｃと右分草具１４Ｒとの間に２条の穀稈が導入され、中分草具１４Ｃと閉状態の左分草具１４Ｌとの間に導入される１条の穀稈と合わせて３条の穀稈が導入され、上記と同様に３条刈作業ができるようになっている。
【００２６】
そして、左右の分草具１４Ｌ，１４Ｒを外側方に開いた時には、左分草具１４Ｌと中分草具１４Ｃ及び右分草具１４Ｒと中分草具１４Ｃとの間にはそれぞれ２条ずつの穀稈が導入され、左右合わせて４条分の穀稈が導入されるようになっており、４条刈作業が可能となる。
【００２７】
左右の分草具１４Ｌ，１４Ｒとこれらを遠隔操作する操作レバー１３Ｌ，１３Ｒとは、操作ワイヤ２３等を介して連動連結され、各操作レバー１３Ｌ，１３Ｒの手前側（前方から後方）への引き操作により、左分草具１４Ｌを左外側方へ、右分草具１４Ｒを右外側方へ回動操作するように連動構成している。なお、左右の分草具１４Ｌ，１４Ｒは、張圧スプリング２５により常時内側方に向けて回動するよう付勢している。
【００２８】
左分草具１４Ｌの左側には、この左分草具１４Ｌによって分草された穀稈を前記ナローガイド１９の始端部に引継ぐ分草ガイド杆２６が設けられている。すなわち、分草ガイド杆２６は、左分草具１４Ｌによって左外側方に分草される穀稈をナローガイド１９の始端部より外側方に向けて押出し案内する。
【００２９】
この分草ガイド杆２６は、図２及び図３例では、デバイダ取付ステー２７（図４及び図５例ではデバイダ）部から斜め外側後方に向けて延出してあり、しかも、ナローガイド１９の始端部よりも上側位置で、更にその始端部よりも左外側方位置までガイドするように配置している。
【００３０】
また、左分草具１４Ｌの内側（右側）には、該左分草具１４Ｌより内側に分草される穀稈を隣接の左側引起し装置１５Ｌ側に向けて押し分けながら引起し作用圏内に導入案内する導入ガイド杆２８が設けられている。
【００３１】
図６及び図７例では、前記分草ガイド杆２６のガイド終端部とナローガイド１９の始端部が連結ピン２０によって回動自在に連結保持されている。これによると、分草ガイド杆２６の終端部とナローガイド１９の始端部が連続状に連結保持されているため、分草ガイド杆２６からナローガイド１９への引継ぎ案内作用がスムースに行える。
【００３２】
また、図８及び図９例に示すように、運転席５側に位置する既刈地側の右分草具１４Ｒにおいても、該右分草具と既刈地側ナローガイド１９Ｒとの間には、右外側方に分草される穀稈を既刈地側ナローガイド１９Ｒの始端部より外側方に向けて押出し案内する分草ガイド杆２６Ｒが設けられている．また、分草具１４Ｒの内側（左側）においても、該分草具１４Ｒより内側に分草される穀稈を隣接の右側引起し装置１５Ｒ側に向けて押し分けながら引起し作用圏内に導入案内する導入ガイド杆２８Ｒが設けられている。
【００３３】
左右の分草具１４Ｌ，１４Ｒを外側に開いた状態で作業する時、副変速レバー１１が作業速の倒伏速位置にシフトされていない場合は、警報ブザー又は音声指示により倒伏速位置（標準速より低速域）へのシフトをオペレータに促すように構成しておくと、標準速での過大の作業負荷によって穀稈の詰まりなどによるトラブルを未然に防止することができる。なお、副変速レバー１１を倒伏速位置にシフトすると、警報装置が鳴り止むようにしておくと良い。
【００３４】
リモコン分草具の左右操作レバー１３Ｌ，１３Ｒの分草具「開」操作域に警報装置作動用スイッチを設け、レバーを分草具「開」操作域に操作したとき、スイッチがＯＮして警報することで、作業速を低速に切り替えるべくオペレータに促すことができる。
【００３５】
また、上記構成において、警報スイッチがＯＮ及び主変速レバー１０を前進側に切り替えたときに警報装置が作動するように構成することもできる。
更に、上記構成において、警報スイッチがＯＮ及び刈脱クラッチレバー９が入り状態にあり、主変速レバー１０を前進側に切り替えたときに警報装置が作動する構成であっても良い。また、この構成において、警報スイッチがＯＮで刈脱クラッチレバー９が入り状態にあり、主変速レバー１０を前進側に切り替え、刈取部が地上から３００ｍｍ以下のときに警報装置が作動するように構成することもできる。なお、かかる構成の場合、駐車ブレーキ入りのときは、警報装置が作動しないように構成することもできる。
【符号の説明】
【００３６】
４        刈取部（刈取装置）
１４Ｌ    左分草具
１５      引起し装置
１９      ナローガイド（穀稈ガイド）
２０      連結ピン
２３      縦軸
２６      分草ガイド杆
２８      導入ガイド杆
【図１】
2013150576.tif 000003
【図２】
2013150576.tif 000004
【図３】
2013150576.tif 000005
【図４】
2013150576.tif 000006
【図５】
2013150576.tif 000007
【図６】
2013150576.tif 000008
【図７】
2013150576.tif 000009
【図８】
2013150576.tif 000010
【図９】
2013150576.tif 000011